【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
特許資産情報を格納する特許データベースと、
少なくとも１つの非一時的なコンピュータにより読み取り可能な媒体であって、
テクノロジーセクターを特定する情報をクライアントデバイスから受信するステップ、
前記テクノロジーセクターに関係する複数の特許資産に関して前記特許データベースに問い合わせるステップ、
前記特定したテクノロジーセクターに関係する前記複数の特許資産に基づいて、前記テクノロジーセクターの全体の財務指標を計算するステップ、及び、
前記テクノロジーセクターの前記全体の財務指標に基づいて、前記クライアントデバイスのために出力を生成するステップ、
に関するプロセッサにより実行可能な命令を格納する、少なくとも１つの非一時的なコンピュータにより読み取り可能な媒体と、
を具備するシステム。
【請求項２】
前記テクノロジーセクターの前記全体の財務指標を計算するステップが、前記特定したテクノロジーセクターに関係する前記複数の特許資産に基づいて、前記テクノロジーセクターの全体の収益を計算するステップを含む、請求項１に記載のシステム。
【請求項３】
前記命令が、
前記テクノロジーセクターに関係する前記複数の特許資産を所有する複数の企業を特定するステップ
に関する命令をさらに含み、
前記テクノロジーセクターの前記全体の財務指標が、前記テクノロジーセクターに関係する前記複数の特許資産を所有する前記特定した複数の企業にさらに基づいて計算される、請求項１に記載のシステム。
【請求項４】
前記複数の企業に関する財務情報を格納する財務データベースをさらに具備し、
前記テクノロジーセクターの前記全体の財務指標が、前記財務データベースに格納された前記複数の企業に関する前記財務情報にアクセスすることによって計算される、請求項３に記載のシステム。
【請求項５】
前記テクノロジーセクターの前記全体の財務指標を計算するステップが、
前記複数の特許資産から、或る企業により所有されかつ前記テクノロジーセクターにある特許資産の第１の数を決定するステップと、
前記企業により所有され複数のテクノロジーセクターにわたる特許資産の第２の数を決定するステップと、
前記企業の総財務指標を決定するステップと、
前記企業により所有されかつ前記テクノロジーセクターにある特許資産の前記第１の数と、前記企業により所有され複数のテクノロジーセクターにわたる特許資産の前記第２の数と、前記企業の前記総財務指標とに基づいて、前記テクノロジーセクターにおける前記企業の財務指標を決定するステップと、
前記テクノロジーセクターにおける前記企業の前記財務指標に基づいて、前記テクノロジーセクターの前記全体の財務指標を計算するステップと、
を含む、請求項１に記載のシステム。
【請求項６】
前記テクノロジーセクターの前記全体の財務指標を計算するステップが、
前記複数の特許資産から、少なくとも１つの企業により所有されかつ前記テクノロジーセクターにある特許資産の数を決定するステップと、
前記テクノロジーセクターにおける他の企業の財務指標に基づいて、前記テクノロジーセクターにおける１特許資産当たりの財務指標を決定するステップと、
前記１特許資産当たりの財務指標と、前記少なくとも１つの企業により所有されかつ前記テクノロジーセクターにおける特許資産の前記数とに基づいて、前記テクノロジーセクターの前記全体の財務指標を計算するステップと、
を含む、請求項１に記載のシステム。
【請求項７】
前記テクノロジーセクターの前記全体の財務指標を計算するステップが、
前記特許資産のうちの少なくとも１つの特許資産に関して、
前記特許資産のそれぞれの財務指標を決定するステップであって、前記それぞれの財務資産が前記特許資産の特許庁分類に基づくものであるステップと、
前記特許資産の前記それぞれの財務指標に基づいて、前記テクノロジーセクターの前記全体の財務指標を計算するステップと、
を含む、請求項１に記載のシステム。
【請求項８】
前記クライアントデバイスのために前記出力を生成するステップが、前記テクノロジーセクターの前記全体の財務指標に基づいて、前記テクノロジーセクターのレポートを生成するステップ
を含む、請求項１に記載のシステム。
【請求項９】
クライアントデバイスから、テクノロジーセクターを特定する情報を受信するステップと、
前記テクノロジーセクターに関係する複数の特許資産に関して特許データベースに問い合わせるステップと、
前記特定したテクノロジーセクターに関係する前記複数の特許資産に基づいて、前記テクノロジーセクターの全体の財務指標を計算するステップと、
前記テクノロジーセクターの前記全体の財務指標に基づいて、前記クライアントデバイスのための出力を生成するステップと、
を含む、コンピュータにより実現される方法。
【請求項１０】
前記テクノロジーセクターの前記全体の財務指標を計算するステップが、前記特定したテクノロジーセクターに関係する前記複数の特許資産に基づいて、前記テクノロジーセクターの全体の収益を計算するステップを含む、請求項９に記載の方法。
【請求項１１】
前記テクノロジーセクターに関係する前記複数の特許資産を所有する複数の企業を特定するステップ
をさらに含み、
前記テクノロジーセクターの前記全体の財務指標が、前記テクノロジーセクターに関係する前記複数の特許資産を所有する前記特定した複数の企業にさらに基づいて計算される、請求項９に記載の方法。
【請求項１２】
前記テクノロジーセクターの前記全体の財務指標が、前記複数の企業に関する財務情報を格納する財務データベースにアクセスすることによって計算される、請求項１１に記載の方法。
【請求項１３】
前記テクノロジーセクターの前記全体の財務指標を計算するステップが、
前記複数の特許資産から、或る企業により所有されかつ前記テクノロジーセクターにある特許資産の第１の数を決定するステップと、
前記企業により所有され複数のテクノロジーセクターにわたる特許資産の第２の数を決定するステップと、
前記企業の総財務指標を決定するステップと、
前記企業により所有されかつ前記テクノロジーセクターにある特許資産の前記第１の数と、前記企業により所有され複数のテクノロジーセクターにわたる特許資産の前記第２の数と、前記企業の前記総財務指標とに基づいて、前記テクノロジーセクターにおける前記企業の財務指標を決定するステップと、
前記テクノロジーセクターにおける前記企業の前記財務指標に基づいて、前記テクノロジーセクターの前記全体の財務指標を計算するステップと、
を含む、請求項９に記載の方法。
【請求項１４】
前記テクノロジーセクターの前記全体の財務指標を計算するステップが、
前記複数の特許資産から、少なくとも１つの企業により所有されかつ前記テクノロジーセクターにある特許資産の数を決定するステップと、
前記テクノロジーセクターにおける他の企業の財務指標に基づいて、前記テクノロジーセクターにおける１特許資産当たりの財務指標を決定するステップと、
前記１特許資産当たりの財務指標及び前記少なくとも１つの企業により所有されかつ前記テクノロジーセクターにおける特許資産の前記数に基づいて、前記テクノロジーセクターの前記全体の財務指標を計算するステップと、
を含む、請求項９に記載の方法。
【請求項１５】
前記テクノロジーセクターの前記全体の財務指標を計算するステップが、
前記特許資産のうちの少なくとも１つの特許資産に関して、
前記特許資産のそれぞれの財務指標を決定するステップであって、前記それぞれの財務資産が、前記特許資産の特許庁分類に基づくものであるステップと、
前記特許資産の前記それぞれの財務指標に基づいて、前記テクノロジーセクターの前記全体の財務指標を計算するステップと、
を含む、請求項９に記載の方法。
【請求項１６】
前記クライアントデバイスのために前記出力を生成するステップが、前記テクノロジーセクターの前記全体の財務指標に基づいて、前記テクノロジーセクターのレポートを生成するステップを含む、請求項９に記載の方法。
【請求項１７】
命令を格納する非一時的なコンピュータにより読み取り可能な媒体であって、該命令がプロセッサによって実行されたときに、
クライアントデバイスから、テクノロジーセクターを特定する情報を受信するステップと、
前記テクノロジーセクターに関係する複数の特許資産に関して特許データベースに問い合わせるステップと、
前記特定したテクノロジーセクターに関係する前記複数の特許資産に基づいて、前記テクノロジーセクターの全体の財務指標を計算するステップと、
前記テクノロジーセクターの前記全体の財務指標に基づいて、前記クライアントデバイスのための出力を生成するステップと、
を含む方法を前記プロセッサに実行させる、非一時的なコンピュータにより読み取り可能な媒体。
【請求項１８】
前記テクノロジーセクターの前記全体の財務指標を計算するステップが、前記特定したテクノロジーセクターに関係する前記複数の特許資産に基づいて、前記テクノロジーセクターの全体の収益を計算するステップを含む、請求項１７に記載の非一時的なコンピュータにより読み取り可能な媒体。
【請求項１９】
前記命令が、
前記テクノロジーセクターに関係する前記複数の特許資産を所有する複数の企業を特定するステップに関する命令をさらに含み、
前記テクノロジーセクターの前記全体の財務指標が、前記テクノロジーセクターに関係する前記複数の特許資産を所有する前記特定した複数の企業にさらに基づいて計算される、請求項１７に記載の非一時的なコンピュータにより読み取り可能な媒体。
【請求項２０】
前記クライアントデバイスのために前記出力を生成するステップが、前記テクノロジーセクターの前記全体の財務指標に基づいて、前記テクノロジーセクターのレポートを生成するステップを含む、請求項１７に記載の非一時的なコンピュータにより読み取り可能な媒体。